(57)【要約】【課題】  固形異物の二次側流路への流出を防止する。【解決手段】  本体１内に設けた一次側流路４と二次側流路５との間に着脱自在に装着した有底筒状のスクリーン８と、一次側流路４に連通する様に本体１上部に開設したスクリーン８の取出口９と、該取出口９に装着する蓋体10とを設けて成るＵ形ストレーナにおいて、取出口９と同一軸線上で対向配置した環状段部7aにスクリーン８の開口部周縁に設けた鍔部8aをシール部材11を介して設置すると共に、鍔部8aを押圧保持するリング状の鍔押さえ12を環状段部7aに螺着する。【選択図】        図２
2005066547.tif 000002
【特許請求の範囲】
【請求項１】
本体内に設けた一次側流路と二次側流路との間に着脱自在に装着した有底筒状のスクリ
ーンと、一次側流路に連通する様に本体上部に開設したスクリーンの取出口と、該取出口
に装着する蓋体とを設けて成るＵ形ストレーナにおいて、取出口と同一軸線上で対向配置
した環状段部にスクリーンの開口部周縁に設けた鍔部をシール部材を介して設置すると共
に、鍔部を押圧保持するリング状の鍔押さえを環状段部に螺着したことを特徴とするＵ形
ストレーナ。
【発明の詳細な説明】
【技術分野】
【０００１】
本発明は、各種配管ラインを流れる流体中の固形異物を分離除去するためのＵ形ストレ
ーナに関する。
【背景技術】
【０００２】
従来、この種のストレーナは、一次側流路と二次側流路を形成した本体内部に有底筒状
のスクリーンを着脱自在に収納し、一次側流路に連通する様に本体上部に設けたスクリー
ンの取出口に蓋体を装着している。
蓋体は、取出口周縁に設けたフランジと略同径の天板部と、取出口に嵌合する様に天板
部に垂設した密栓部とから成り、蓋体には取出口を閉塞した状態を保持するクランプが取
付けられている。
スクリーンは、取出口と同一軸線上にして、且つ取出口に対向配置した一次側流路と二
次側流路との連通口端面にスクリーンの開口部周縁に設けた鍔部を係合し、該鍔部には略
コ字状の把手が上方突設し、蓋体による取出口の閉塞状態で蓋体の密栓部が把手を下方へ
押圧し、これにより鍔部の連通口端面に対する係合状態を保持し、スクリーンを固定して
いる（例えば、非特許文献１参照）。
【非特許文献１】日本バルブ工業会編、「バルブ便覧」日刊工業新聞社出版、昭和４０年３月３０日発行、ｐ．４６３、図７・１４８、図７・１４９
【発明の開示】
【発明が解決しようとする課題】
【０００３】
しかしながら、上記の様なスクリーンの固定手段では、単に蓋体で把手を介してスクリ
ーンを押さえ付けているだけであり、スクリーンの鍔部と連通口端面との接合精度が低い
と隙間を生じ、その隙間より固形異物が二次側流路へ流出する不具合を招来している。
【課題を解決するための手段】
【０００４】
本発明は、上記課題に鑑み、本体内に設けた一次側流路と二次側流路との間に着脱自在
に装着した有底筒状のスクリーンと、一次側流路に連通する様に本体上部に開設したスク
リーンの取出口と、該取出口に装着する蓋体とを設けて成るＵ形ストレーナにおいて、取
出口と同一軸線上で対向配置した環状段部にスクリーンの開口部周縁に設けた鍔部をシー
ル部材を介して設置すると共に、鍔部を押圧保持するリング状の鍔押さえを環状段部に螺
着することにより、上記課題を解決する。
【発明の効果】
【０００５】
要するに本発明は、上記の様に構成したので、鍔押さえにて鍔部を介して常に押圧され
ているシール部材が鍔部と環状段部との間隙を塞ぐ様に密着でき、よって固形異物が二次
側流路へ流出することがない。
この様にシール性が良好なスクリーンを一次側流路と二次側流路の間に強固に固定でき
ると共に、スクリーンの洗浄時には鍔押さえを螺退させることにより、スクリーンを簡単
に取り外すことができる等その実用的効果甚だ大である。
【発明を実施するための最良の形態】
【０００６】
以下本発明の一実施例を図面に基づいて説明する。
図に示すＵ形ストレーナの本体１は、その左右両側に流入口２と流出口３を開設すると
共に、該流入口２と流出口３の夫々に通ずる一次側流路４と二次側流路５とを形成し、該
一次側流路４と二次側流路５とは本体１内部に設けた隔壁６にて上下に区画され、該隔壁
６には連通口７を開設している。
本体１の上部には、一次側流路４に連通すると共に、連通口７と同一軸線上で対向する
様にスクリーン８の取出口９を開設し、その取出口端面9aを環状に上方突設しており、取
出口９には蓋体10を着脱自在に装着している。
【０００７】
スクリーン８は、有底筒状の金網であり、その開口部周縁に環状の鍔部8aを設けると共
に、開口部の一直径線上に棒状の把手8bを架設している。
そして、連通口７周囲に設けた環状段部7aにスクリーン８の鍔部8aをシール部材11を介
して設置すると共に、鍔部8aを押圧保持するリング状の鍔押さえ12を環状段部7aに螺着し
ている。
シール部材11は、環状段部7aに配置するガスケット、又は、図示例の様に環状段部7aに
凹設したＯリング溝に装着するＯリングである。
鍔押さえ12は、環状段部7aの高さとほぼ同じ厚みを有し、その上方開口部の一直径線上
に棒状の把手12ａを架設し、鍔押さえ21の周面には雄ネジを螺刻すると共に、環状段部7a
において雄ネジの対応箇所にはこれに螺合する雌ネジを螺刻している。
【０００８】
蓋体10は、取出口９より大径で上面が平坦な円板状の天板部10ａと、該天板部10ａの下
部中央に取出口９に嵌合する様に垂設した密栓部10ｂとから成り、密栓部10ｂの周囲に凹
設したＯリング溝にＯリング13を装着している。
そして、蓋体10には取出口９を閉塞した状態を保持するクランプ14を設けている。
【０００９】
クランプ14は、本体１上部において、取出口９の左右外方の夫々に起立突設した支軸15
、15ａと、一方の支軸15に基端を回動自在に取付けると共に、先端の一側面に他方の支軸
15ａに係脱自在な凹部16ａを設けた蓋体押さえ杆16と、該蓋体押さえ杆16を介して蓋体10
を押圧保持する様に支軸15、15ａの上方に螺着したアイナット17とを設けている。そして
、アイナット17と蓋体押さえ杆16との間には下方よりバネ座金18と平座金19を介装してい
る。
【００１０】
蓋体10の天板部10ａにおける取出口端面9aとの対応面（天板部10ａの外周縁側下面）10
ｃにはネジ20、20ａを出没自在に設けている。
ネジ20、20ａは蓋体10を本体１から簡単に取り外すために用いられるものであり、蓋体
10の厚みより長く形成され、天板部10ａの外周縁側に上下貫通する様に螺刻したネジ穴21
、21ａに天板部10ａの上面側より螺入している。
又、ネジ20、20ａは図示例の様に蓋体10の円周方向で等間隔置きに２本以上設けるのが
望ましい。
そして、蓋体10を取り外す時以外の通常時では、蓋体10において凹部16ａによる支軸15
ａとの係合で蓋体押さえ杆16の回動の進行が阻まれる部位Ｎに、対応面10ｃに出没自在に
設けた少なくとも一本のネジ18と、対応面10ｃの他所であって凹部16ａが支軸15ａから離
脱する蓋体押さえ杆16の回動方向Ｘに配置したネジ穴21ａに螺入されるネジ20を配置し、
蓋体押さえ杆16による蓋体10の押圧保持を解除する際、蓋体押さえ杆16の蓋体10外方への
回動中に蓋体押さえ杆16が蓋体10上面から突出しているネジ20、20ａに衝突して回動が阻
止されない様にし、蓋体押さえ杆16を蓋体10外方へ移動させた後、蓋体10上での蓋体押さ
え杆16の回動範囲に設けられたネジ穴21ａに上記回動阻止部位Ｎにある一方のネジ20ａを
螺入し、ネジ20、20ａで以て蓋体10を取出口９から離脱させる。
【００１１】
次にＵ形ストレーナの作用について説明する。
本体１の通常使用時においては、凹部16ａが支軸15ａに係合した状態で蓋体押さえ杆16
が取出口９を閉塞した蓋体10上に配置し、この状態でアイナット17が締め付けられており
、これにより蓋体押さえ杆16が蓋体10を押圧し、取出口９の閉塞状態を保持している。
スクリーン８の洗浄時には、アイナット17を緩めて蓋体押さえ杆16を回動可能状態と成
し、凹部16ａを支軸15ａより離脱する様に蓋体押さえ杆16を蓋体10上より外方へ回転移動
させ、蓋体10を取出口９より離脱可能状態とする。
【００１２】
次に、蓋体10における回動進行阻止部位Ｎからネジ20ａを取り外し、蓋体10上での蓋体
押さえ杆16の回動範囲内に配置したネジ穴21ａに螺入し、ネジ20、20ａの先端を対応面10
ｃより突出させ、取出口端面9aに当接した後も続けてネジ20、20ａを突出させることによ
り、蓋体10が取出口９より離脱移動する（図６参照）。
【００１３】
上記の様に蓋体10を本体１から取り外した後、把手12ａで以て鍔押さえ12を螺退させて
これを環状段部7aから取り外し、次いで把手8bで以てスクリーン８を引き上げて本体１か
ら取り出す。
スクリーン８の洗浄後は、上記と逆の手順によってスクリーン８を本体１内に収納し、
蓋体10で取出口９を閉塞し、クランプ12で蓋体10を押圧保持し、全てのネジ20、20ａを回
動進行阻止部位Ｎに配置する。
【図面の簡単な説明】
【００１４】
【図１】Ｕ形ストレーナの断面図である。
【図２】スクリーンの取付け状態を示す拡大断面図である。
【図３】図１のＡ−Ａ断面図である。
【図４】Ｕ形ストレーナの平面図である。
【図５】クランプによる蓋体に対する押圧を解除した状態の平面図である。
【図６】ネジによる蓋体の取り外し状態を示す拡大断面図である。
【符号の説明】
【００１５】
１  本体
４  一次側流路
５  二次側流路
7a  環状段部
８  スクリーン
8a  鍔部
９  取出口
10  蓋体
11  シール部材
12  鍔押さえ
【図１】
2005066547.tif 000003
【図２】
2005066547.tif 000004
【図３】
2005066547.tif 000005
【図４】
2005066547.tif 000006
【図５】
2005066547.tif 000007
【図６】
2005066547.tif 000008